(57)【要約】【課題】複数のネオン管を使用したネオン表示設備の施工を簡素化し、かつ作業コストを軽減する。【解決手段】ネオン管ユニットにおけるネオン管１０に対し、その両端の電極１４間に高電圧を印加するための変圧器２０が直接取付けられている。【選択図】図１
2012014857.tif 000002
【特許請求の範囲】
【請求項１】
ネオン管に対し、その両端の電極間に高電圧を印加するための変圧器が直接取付けられているネオン管ユニット。
【請求項２】
請求項１に記載されたネオン管ユニットを使用し、複数のネオン管が個々の変圧器と共に並列に配線されているネオン表示設備。
【発明の詳細な説明】
【技術分野】
【０００１】
本発明は、ネオン管と変圧器とからなるネオン管ユニット及びそれを用いたネオン表示設備に関する。
【背景技術】
【０００２】
ネオン管は、その両端の電極間に高電圧を印加することで点灯させている。このため、電圧が100ボルト又は200ボルトの一般的な電源からネオン管の両電極間に電圧を印加するには、配線の途中に変圧器を設けて高電圧に変圧する必要がある。この変圧器は比較的大型であり、使用されるネオン管の本数等によっては大きな変圧容量が求められる。
従来のネオン表示設備では、図４で示すように複数本の支柱３０と胴縁３２とによって支持されたボード３４の前面側に複数のネオン管１１０が取付けられている。そしてボード３４の背面側には、一つの変圧器１２０が胴縁３２の一部を利用して固定されている。この変圧器１２０は、各ネオン管１１０  の電極端子に印加される電圧を一括して変圧している。
【０００３】
また、特許文献１には、複数のネオン管と一つの変圧器とをユニット化した技術が開示されている。すなわち、各ネオン管は直方体の箱形状をした容器の開放面側に配置され、この容器の内部に組み込まれた反射板の裏側に変圧器が配置されている。このようにユニット化された構造であっても、図４で示すネオン表示設備と同様に各ネオン管の電極端子に印加される電圧を一つの変圧器によって変圧していることに変わりはない。
【先行技術文献】
【特許文献】
【０００４】
【特許文献１】特開平１０−１２０２８号公報
【発明の概要】
【発明が解決しようとする課題】
【０００５】
図４で示すネオン表示設備の施工に際しては、ボード３４の背面側において変圧器１２０を取付けて配線を行った後、このボード３４の前面側に複数のネオン管１１０を取付けて配線する、といった作業手順を要する。このため、施工に手間がかかるとともに、作業コストも増加する。
また、特許文献１に開示された技術においても、容器に対するネオン管および変圧器の組付けにあたっては、反射板の表側と裏側とにおいて個別に作業を行う必要があり、やはり作業性がわるく、コストもかかることになる。
【０００６】
本発明は、このような課題を解決しようとするもので、その目的は、複数のネオン管を使用したネオン表示設備の施工を簡素化し、かつ作業コストを軽減することである。
【課題を解決するための手段】
【０００７】
本発明は、上記の目的を達成するためのもので、以下のように構成されている。
第１の発明は、ネオン管に対し、その両端の電極間に高電圧を印加するための変圧器が直接取付けられている。
【０００８】
これにより、複数のネオン管を使用したネオン表示設備の施工に際し、各ネオン管が取付けられるボードの背面側に変圧器を取付け、かつ配線する作業が不要となり、ボードの前面側からのアクセスのみで施工を行うことができる。このため、設備の施工が容易となり、作業コストが軽減される。
【０００９】
第２の発明は、第１の発明におけるネオン管ユニットを使用し、複数のネオン管が個々の変圧器と共に並列に配線されている。
これにより、設備の施工が容易になることに加えてネオン管の点灯トラブル等が生じた場合に、交換すべきネオン管が一目瞭然であり、設備の補修点検が容易となる。
【図面の簡単な説明】
【００１０】
【図１】ネオン管ユニットを表した平面図。
【図２】ネオン表示設備を表した斜視図。
【図３】複数のネオン管ユニットの配線図。
【図４】従来のネオン表示設備を表した斜視図。
【発明を実施するための形態】
【００１１】
以下、本発明を実施するための形態を、図１〜図３を用いて説明する。
図１で示すようにネオン管１０は、水銀、ヘリウム、窒素などのネオンガスが封入されたガラス管の両端をヘヤピン状に折曲げた形状をしている。両端の折曲げ部１２には、平板形状の電極１４がそれぞれ内蔵されており、これらの電極１４間に高電圧を印加することでネオン管１０が点灯する。なお、ネオン管１０の点灯に必要な電圧は、ネオンガスの種類によっても異なるが、ネオン管１０の管長1mあたり1000ボルト以上とされている。
両電極１４には端子１６がそれぞれ接続されており、個々の端子１６から電気コード１８が延びている。
【００１２】
すでに述べたように、一般の電源（電圧：100ボルト又は200ボルト）からネオン管１０の点灯に必要な電圧を両電極１４間に印加するには、電源電圧を変圧器によって高電圧に変圧する必要がある。本実施の形態では、ネオン管１０における一方の電極１４の端子１６に小型の変圧器２０が直接取付けられている。この変圧器２０は、電源電圧を当該のネオン管１０が必要とする電圧に昇圧できる変圧容量を有する。言い換えると変圧器２０の変圧容量は、そのネオン管１０に必要な電圧によって設定されるのであり、個別のネオン管１０毎に変圧容量の異なる変圧器２０を取付ければよい。
なお、変圧器２０は、ネオン管１０における両電極１４の端子１６にそれぞれ取付けることも可能である。この場合、両変圧器２０は昇圧機能を分担できるので、個々の変圧容量は二分の一で済むことになる。
【００１３】
図２で示すネオン表示設備は、図４で示す場合と同様に複数本の支柱３０と、これらの支柱３０の間に架け渡された複数本の胴縁３２とによってボード３４が支持されている。そして、このボード３４の前面側に複数のネオン管１０がそれぞれ支持ブラケット３６によって取付けられている。前述のように各ネオン管１０は個々に小型の変圧器２０を備えていることから、電気配線の作業は各ネオン管１０の電気コード１８を所定の電源に接続するだけでよい。
【００１４】
すなわち、図４で示すネオン表示設備とは異なり、ボード３４の背面側に変圧器１２０を取付け、かつ、そのための配線を行うことが不要となる。したがって、図２で示すネオン表示設備の施工にあたっては、ボード３４の前面側からのアクセスによって各ネオン管１０を取付けるとともに、各ネオン管１０の両端子１６から延びる電気コード１８をボード３４に予め開けられている貫通孔に通して電源側に導くだけで作業が完了する。この結果、施工のための作業性がよく、作業コストも軽減される。
【００１５】
また、各ネオン管１０の両端子１６と電源とを接続する電気コード１８には、個々の変圧器２０によって昇圧される前の電源電圧（100ボルト又は200ボルト）が作用しているだけである。
これに対し、図４で示すネオン表示設備においてボード３４の貫通孔に通されている電気コードには、変圧器１２０で昇圧された後の高い電圧が作用している。このため、電気コードを通すボード３４の貫通箇所に絶縁ガイシ等を用いる必要が生じるが、図２で示す本実施の形態のネオン表示設備では、このような絶縁ガイシ等が不要になる。
【００１６】
図３で示すように、それぞれ変圧器２０を備えた各ネオン管１０は電源２２に対して並列に配線されている。これにより、ネオン管１０に点灯トラブル等が生じた場合でも、トラブルの要因をもっているネオン管１０のみが点灯しないだけで、残りのネオン管１０は正常に点灯し続ける。したがって、トラブルが生じたネオン管１０が一目瞭然となり、補修作業に無駄な時間を費やすことが解消される。
【符号の説明】
【００１７】
１０ ネオン管
１４ 電極
１６ 端子
１８ 電気コード
２０ 変圧器
３４ ボード
３６ 支持ブラケット
【図１】
2012014857.tif 000003
【図２】
2012014857.tif 000004
【図３】
2012014857.tif 000005
【図４】
2012014857.tif 000006